(57)【要約】【課題】吻合リング装置を移植するための外科器具を提供する。【解決手段】吻合リングを配備するための外科器具は、ハンドルと、軸の先端部におけるリング配備機構と、を備えている。このリング配備機構は遠位側部分および近位側部分を有していて、吻合リングを配備するために、非作動状態の位置から作動状態の位置に移動可能である。上記器具の挿入または摘出の間に、組織が上記配備機構の中に捕捉されることを防ぐために、遠位側および近位側のシースは、それぞれ、リング配備機構の遠位側および近位側の部分を被覆するように構成されている。上記ハンドルの中の作動機構は、第１の作動スライダーの１回の移動により、上記遠位側シースの進出および上記リング配備機構の遠位側部分の作動、を可能にする。この作動機構はまた、第２の作動スライダーの１回の移動により、上記近位側シースの後退および上記リング配備機構の近位側部分の作動、を可能にする。【選択図】図１
2006312053.tif 000002
【特許請求の範囲】
【請求項１】
吻合リング装置を移植するための外科器具において、
（ａ）吻合リングを受容するように構成されているリング配備機構であって、非作動状態の位置と作動状態の位置との間において移動させるために動作可能である、リング配備機構と、
（ｂ）前記リング配備機構に連絡している軸であって、
（ｉ）前記リング配備機構に作動力を伝達するように動作可能に構成されている１個以上の伝達部材と、
（ｉｉ）第１の形態から第２の形態に選択的に移動させるために動作可能なシース装置であって、このシース装置がその第１の形態にある時に前記リング配備機構の少なくとも一部分を被覆するように構成されていて、このシース装置がその第２の形態に移動する時に前記リング配備機構の前記少なくとも一部分をさらすように構成されている、シース装置と、
を含んでいる、軸と、
（ｃ）前記リング配備機構の少なくとも一部分を作動させる動作の少なくとも一部分と、前記シース装置の少なくとも一部分をその第２の形態に移動させる動作の少なくとも一部分と、を同時に、行なうために動作可能な作動機構と、
を備えている、外科器具。
【請求項２】
請求項１に記載の外科器具において、
前記作動機構の少なくとも一部分は、前記軸に連結されているハンドルの中に、配置されている、外科器具。
【請求項３】
請求項１に記載の外科器具において、
前記１個以上の伝達部材は複数の管を含む、外科器具。
【請求項４】
請求項１に記載の外科器具において、
前記作動機構はさらに、前記シース装置の少なくとも一部分をその第２の形態に移動させる動作を開始することと、前記リング配備機構の少なくとも一部分を作動させる動作を開始すること、を連続的に行なうために、動作可能である、外科器具。
【請求項５】
請求項１に記載の外科器具において、
前記リング配備機構は複数のフィンガーを含む、外科器具。
【請求項６】
請求項１に記載の外科器具において、
前記リング配備機構は、前記非作動状態の位置から前記作動状態の位置に移動可能な近位側部分と、前記非作動状態の位置から前記作動状態の位置に移動可能な遠位側部分と、を有している、外科器具。
【請求項７】
請求項６に記載の外科器具において、
前記シース装置は近位側シースおよび遠位側シースを含み、この近位側シースは、前記シース装置がその第１の形態にある時に、第３の形態にあり、さらにこの近位側シースは、前記シース装置がその第２の形態にある時に、第４の形態にあり、前記遠位側シースは前記シース装置がその第１の形態にある時に、第５の形態にあり、さらにこの遠位側シースは、前記シース装置がその第２の形態にある時に、第６の形態にある、外科器具。
【請求項８】
請求項７に記載の外科器具において、
前記近位側シースは、当該近位側シースがその第３の形態にある時に、前記リング配備機構の前記近位側部分を被覆するように構成されており、前記遠位側シースは、当該遠位側シースがその第５の形態にある時に、前記リング配備機構の前記遠位側部分を被覆するように構成されている、外科器具。
【請求項９】
請求項８に記載の外科器具において、
前記作動機構はさらに、前記リング配備機構の前記近位側部分に動作を伝達するために動作可能な第１の作動スライダーと、前記リング配備機構の前記遠位側部分に動作を伝達するために動作可能な第２の作動スライダーと、を含む、外科器具。
【請求項１０】
請求項９に記載の外科器具において、
前記第１の作動スライダーはさらに、前記近位側シースをその第３の形態から第４の形態に移動させるために動作可能である、外科器具。
【請求項１１】
吻合リング装置を配備するための外科器具において、
（ａ）吻合リングを配備するように構成されているリング配備機構であって、非作動状態の位置と作動状態の位置との間において移動させるために動作可能であり、近位側部分と遠位側部分とを有している、リング配備機構と、
（ｂ）前記リング配備機構に連絡している軸であって、
（ｉ）前記リング配備機構に作動力を伝達するように動作可能に構成されている１個以上の伝達部材と、
（ｉｉ）近位側シースであって、当該近位側シースが第１の形態にある時に、前記リング配備機構の前記近位側部分を被覆するように構成されていて、この近位側シースがその第１の形態から近位側に移動する時に、前記リング配備機構の前記近位側部分の少なくとも一部分をさらすように構成されている、近位側シースと、
（ｉｉｉ）遠位側シースであって、当該遠位側シースが第２の形態にある時に、前記リング配備機構の前記遠位側部分を被覆するように構成されていて、この遠位側シースがその第２の形態から遠位側に移動する時に、前記リング配備機構の前記遠位側部分の少なくとも一部分をさらすように構成されている、遠位側シースと、
を含んでいる、軸と、
（ｃ）作動機構であって、
（ｉ）前記リング配備機構の前記近位側部分を作動させることと、前記近位側シースを近位側に移動させることを、少なくとも部分的に、同時に、行なうために動作可能な第１の部材と、
（ｉｉ）前記リング配備機構の前記遠位側部分を作動させることと、前記遠位側シースを遠位側に移動させることを、少なくとも部分的に、同時に、行なうために動作可能な第２の部材と、
を含んでいる、作動機構と、
を備えている、外科器具。
【請求項１２】
吻合リング装置を配備するための外科器具において、
（ａ）吻合リング装置を配備するように構成されているリング配備機構であって、
（ｉ）一組の近位側フィンガーと、
（ｉｉ）一組の遠位側フィンガーと、を含んでいて、
前記近位側フィンガーは第１の遠位側への力に応答して作動するように構成されていて、前記遠位側フィンガーは第１の近位側への力に応答して作動するように構成されている、
リング配備機構と、
（ｂ）前記近位側フィンガーを被覆するように構成されている近位側シースであって、第２の近位側への力に応答して前記近位側フィンガーをさらすために動作可能である、近位側シースと、
（ｃ）前記遠位側フィンガーを被覆するように構成されている遠位側シースであって、第２の遠位側への力に応答して前記遠位側フィンガーをさらすために動作可能である、遠位側シースと、
（ｄ）作動機構であって、
（ｉ）前記第１の遠位側への力および前記第２の近位側への力を、少なくとも部分的に、同時に、伝達させるために動作可能な第１の部材と、
（ｉｉ）前記第１の近位側への力および前記第２の遠位側への力を、少なくとも部分的に、同時に、伝達させるために動作可能な第２の部材と、
を有している、作動機構と、
を備えている、外科器具。
【発明の詳細な説明】
【開示の内容】
【０００１】
〔発明の分野〕
本発明は、一般に、外科手術に関連しており、特に、消化系において外科処置を行なうための装置に関連している。
【０００２】
〔発明の背景〕
病的肥満にかかる世界の人口の割合は着実に増えている。深刻な肥満の人は、心臓病、発作、糖尿病、肺病、および偶発症候の、高められた危険性の影響を受けやすい。患者の生活における病的肥満の影響により、病的肥満を治療する方法が重大な研究の課題になってきている。
【０００３】
病的肥満を治療するための一例の既知の方法は吻合リングの使用を含む。吻合リングを供給するための装置は当業界において知られている。この種の装置は、一般的に、最も近い胃腸の組織壁の間に形成された吻合開口部に、圧縮された吻合リングを挿入することに適合している。これらの供給装置は、圧縮された吻合リングが吻合開口部の中に置かれると作動して、その吻合リングを、その圧縮された状態、すなわち、円筒形に形づくられた状態から、作動状態、すなわち、中空のリベットの形状の状態まで、拡張させる拡張要素を含むリング配備機構、を利用することができる。
【０００４】
吻合リングを拡張させるために、フィンガーまたは類似の部材を使用している一部の従来の吻合リング装置により、その吻合リング装置は、供給装置が最も近い胃腸の組織壁の近くに挿入される時に、組織がその供給装置のフィンガーの間に捕捉されること、を可能にする。同様に、吻合部位からの上記の装置の抜き取りの間に、組織が上記の配備機構の中に捕捉されることも可能にできる。しかしながら、上記のフィンガーの間の組織の捕捉は、その組織をはさむことまたは引き裂くこと、あるいは、その吻合の構造的な完全性を損なうこと等のような、望ましくない結果を生じる可能性がある。
【０００５】
当業界において知られている一部の吻合リング供給装置は細長い軸に摺動自在に置かれている管状のシースを組み入れている。この管状のシースは、一般的に、上記の装置が吻合部位の近くに挿入されている間はリング配備機構の上に置かれているが、そのリングの配備を可能にするために後退させることができる。しかしながら、シースの後退とリング配備機構の作動とを行なうために、別々の機構が一般的に用いられている。したがって、組織が吻合装置におけるリング配備機構の中に捕捉される可能性を減少させるが、シースの後退を行なうための追加の工程を必ずしも必要としない、吻合リング供給装置を有することが望ましいと考えられる。
【０００６】
〔発明の概要〕
一例の実施形態において、吻合リング装置を移植するための外科器具はリング配備機構を備えている。このリング配備機構は吻合リングを受容するように構成されていて、非作動状態の位置と作動状態の位置との間において移動させるために動作可能である。この器具はさらに、リング配備機構に連絡している軸、を備えている。この軸は、作動力をリング配備機構に伝達するように動作可能に構成されている１個以上の伝達部材、を有している。この軸はさらに、第１の形態から第２の形態に、選択的に移動させるために動作可能であるシース装置、を有している。このシース装置は、当該シース装置が第１の形態にある時に、リング配備機構の少なくとも一部分を被覆するように構成されている。また、このシース装置は、当該シース装置が第２の形態に移動する時に、リング配備機構の少なくとも一部分をさらすように構成されている。上記の器具はさらに、リング配備機構の少なくとも一部分を作動させる動作と、シース装置の少なくとも一部分を第２の形態に移動させる動作とを、実質的に同時に、行なうために動作可能な作動機構、を備えている。
【０００７】
別の実施形態において、吻合リング装置を配備するための外科器具はリング配備機構を備えている。このリング配備機構は吻合リングを配備するように構成されていて、非作動状態の位置と作動状態の位置との間において移動させるために動作可能である。このリング配備機構は近位側の部分と遠位側の部分とを有している。上記の器具はさらに、リング配備機構に連絡している軸、を備えている。この軸は、作動力をリング配備機構に伝達するように動作可能に構成されている１個以上の伝達部材、を有している。この軸はさらに、近位側シースであって、当該近位側シースが第１の形態にある時に、リング配備機構の近位側部分を被覆するように構成されている、近位側シース、を有している。この近位側シースは、当該近位側シースが第１の形態から近位側に移動する時に、リング配備機構の近位側部分の少なくとも一部分をさらすように構成されている。上記の軸はさらに、遠位側シースであって、当該遠位側シースが第２の形態にある時に、リング配備機構の遠位側部分を被覆するように構成されている、遠位側シース、を有している。この遠位側シースは、当該遠位側シースが第２の形態から遠位側に移動する時に、リング配備機構の遠位側部分の少なくとも一部分をさらすように構成されている。この器具はさらに、作動機構を有している。この作動機構は、リング配備機構の近位側部分を作動させることと、近位側シースを近位側に移動させることとを、同時に、行なうために動作可能である第１の部材、を有している。また、上記の作動機構はさらに、リング配備機構の遠位側部分を作動させることと、遠位側シースを遠位側に移動させることとを、同時に、行なうために動作可能である第２の部材、を有している。
【０００８】
さらに別の実施形態において、吻合リング装置を配備するための外科器具は、吻合リング装置を配備するように構成されているリング配備機構、を備えている。このリング配備機構は、一組の近位側フィンガーと、一組の遠位側フィンガーと、を備えている。この近位側フィンガーは、第１の遠位側に向く力に応答して、作動するように構成されている。また、遠位側フィンガーは第１の近位側に向く力に応答して、作動するように構成されている。上記の器具はさらに、近位側フィンガーを被覆するように構成されている近位側シース、を備えている。この近位側シースは、第２の近位側に向く力に応答して、近位側フィンガーをさらすために動作可能である。上記の器具はさらに、遠位側フィンガーを被覆するように構成されている遠位側シース、を備えている。この遠位側シースは、第２の遠位側に向く力に応答して、遠位側フィンガーをさらすために動作可能である。上記の器具はさらに、作動機構を備えている。この作動機構は、第１の遠位側に向く力および第２の近位側に向く力を、同時に、伝達するために動作可能な第１の部材、を有している。また、この作動機構はさらに、第１の近位側に向く力および第２の遠位側に向く力を、同時に、伝達するために動作可能な第２の部材、を有している。
【０００９】
上記およびその他の実施形態が以下においてさらに詳細に説明されている。加えて、代替の実施形態も当業界における通常の熟練者において明らかになるであろう。
【００１０】
この明細書に組み入れられていて、その一部分を構成している、添付図面は、本発明の種々の態様を例示しており、さらに、上記の本発明の概略的な説明、および下記の種々の態様の詳細な説明、と共に、本発明の原理を説明することに役立つ。
【００１１】
〔発明の実施形態の詳細な説明〕
図面において、同一の参照番号または符号は幾つかの図を通して同一の構成部品を示しており、図１は、吻合リング装置（図１において示されていない）を配備して、概ね円筒形の形状から、病的な肥満の患者の肥満の胃の副行路の中等のような、吻合の標的部位において吻合装置の取り付け部分を形成できる中空のリベットまたはリングの特性を有する形状に、その吻合リング装置を作動させるように動作可能である供給装置１０、を示している。図２は別の供給装置１２を示している。なお、これらの供給装置１０，１２が、腹腔鏡式または内視鏡式、を含むがこれらに限定されない、種々の方法で使用可能であることが認められるであろう。供給装置１２は、配備機構１６における吻合リング１４を伴って、図２において示されている。図２において、吻合リング１４は、圧縮された、円筒形に形づくられている位置において示されている。一方、図３において、供給装置１２の配備機構１６は、吻合リング１４を、作動状態の、中空のリベット形状の位置まで移動させている。さらに、図４は作動状態の位置における吻合リング１４の大写しの図である。この吻合リング１４は、例のみとして、ニチノール等のような、形状記憶作用（ＳＭＥ）の材料により構成することができ、このような材料は、係合用の中空のリベット形状への作動をさらに補助する。なお、別の適当な吻合リング１４の材料も、当業界における通常の熟練者において明らかになるであろう。また、典型的な吻合リング１４が、パーク（Park）他に発行されている、米国特許出願公開第ＵＳ２００３／００３２９６７号において詳細に記載されている。
【００１２】
用語の「近位側」および「遠位側」は、供給装置１０を把持している臨床医に関連して、本明細書において用いられていることが認められるであろう。さらに、便宜上および明瞭にするために、「右」、「左」、「垂直」および「水平」等のような、空間的な用語は、各図面に基いて、本明細書において用いられていることが認められるであろう。しかしながら、外科器具は多くの配向および位置において用いられ、これらの用語は限定や絶対的な表現になることを意図されていない。加えて、本発明の種々の態様は内視鏡式および腹腔鏡式で行なわれる外科処置に対して適用性を有していると共に、開放性の処置またはその他の処置にも適用性を有している。なお、これらの用語または類似の用語の内の一つの本明細書における使用は、外科処置の一つのカテゴリーのみにおける使用のために、本発明を限定することであると、解釈されるべきではない。
【００１３】
図１および図５〜図８において、本実施例の供給装置１０は、細長い軸１８の近位側端部に連結されているハンドル１７、を備えている。図１において示されているように、細長い軸１８は実質的に剛性である。もちろん、この軸１８は交互に柔軟（その全長または１個以上の連結部分において）、弾性、順応性であってもよく、あるいは、その他の特性を有していてもよい。リング配備機構２４は、軸１８の遠位側端部において、先端部分３０よりも近位側に配置されている。図１において示されているように、ハンドル１７は右作動スライダー２６および左作動スライダー２８を有しており、これらは配備機構２４を作動させるために動作可能である。例示的な作動スライダー２６，２８の機能が以下において説明されている。しかしながら、これらの作動スライダー２６，２８は多様な他の形態を採り、多様な他の機能を有してもよいことが認められるであろう。
【００１４】
図５〜図９および図１２〜図１８において示されているように、本実施例のリング配備機構２４は複数の近位側フィンガー３６および複数の遠位側フィンガー３８を有している。近位側フィンガー３６は近位側リング４０により連結されていて、遠位側フィンガー３８は遠位側リング４２により連結されている。リング配備機構２４はさらに、中間リング４６を有しており、この中間リング４６は近位側フィンガー３６と遠位側フィンガー３８との間に配置されている。これらの近位側フィンガー３６および遠位側フィンガー３８はそれぞれ、リング配備機構２４の中間リング４６に対して二重ヒンジ型の関係にある。したがって、近位側フィンガー３６の作動は、当該近位側フィンガー３６を遠位側（すなわち、中間リング４６に向けて）に移動させることにより、行なうことができる。同様に、遠位側フィンガー３８の作動は、当該遠位側フィンガー３８を近位側（すなわち、中間リング４６に向けて）に移動させることにより、行なうことができる。これらのフィンガー３６，３８は、吻合リング１４の配備の前およびその間に、ペタル５２に係合することにより、吻合リング１４を保持して、吻合リング１４の配備の後に、ペタル５２を放出するように構成されている。すなわち、吻合リング１４の配備はこれらのフィンガー３６，３８の作動により行なうことができる。さらに、上記のリング配備機構２４の別の適当な構成も当業界における通常の熟練者において明らかになるであろう。
【００１５】
本実施例の軸１８は一連の同心状の管を有している。この軸１８は管案内部材２０を有しており、この管案内部材２０はハンドル１７から延出していて、このハンドル１７に一体に形成されている。軸１８はさらに、近位側シース３２を有しており、この近位側シース３２はハンドル１７の中に管案内部材２０を通して延在している。この近位側シース３２は近位側フィンガー３６の上に嵌着してこれらを包むように構成されており、これらの近位側フィンガー３６を被覆およびさらすように縦方向に移動可能であってもよい。軸１８はさらに、外側管４３を有しており、この外側管４３はハンドル１７の中に近位側シース３２を通して延在している。この外側管４３は近位側リング４０に固定されていて、この近位側リング４０に縦方向の移動を伝達するように構成されている。軸１８はさらに、接地管４５を有しており、この接地管４５はハンドル１７の中に外側管４３を通して延在している。この接地管４５は中間リング４６に固定されていて、以下において説明されているように、ハンドル１７の中に固定されている。軸１８はさらに、内側管４４を有しており、この内側管４４はハンドル１７の中に接地管４５を通して延在している。この内側管４４は遠位側リング４２に固定されていて、この遠位側リング４２に縦方向の移動を伝達するように構成されている。軸１８はさらに、先端管４７を有しており、この先端管４７はハンドル１７の中に内側管４４を通して延在している。この先端管４７は先端部分３０に固定されていて、この先端部分３０に縦方向の移動を伝達するように構成されている。なお、当業界における通常の熟練者は、上記の管４３，４５，４４，４７の内の任意のものが変更可能であって、ケーブルを含むがこれに限定されない、任意の適当な代替の構造により置き換えることができることを認めるであろう。
【００１６】
図示のように、遠位側シース３４は先端部分３０から近位側に延在していて、この先端部分３０に一体に形成されている。近位側シース３２と同様に、遠位側シース３４は遠位側フィンガー３８の上に嵌着してこれを包むように構成されており、遠位側フィンガー３８を被覆またはさらすように縦方向に移動させることができる。遠位側シース３４および近位側シース３２は、供給装置１０が吻合部位から挿入または摘出される時に、組織が配備機構２４の中に捕捉されることを防ぐために役立つことができる。また、別の実施形態において、単一のシースが、組み合わされた近位側シース３２および遠位側シース３４と同じ目的をはたすために用いられている。あるいは、任意の別の構造を、同一または類似の目的をはたすために用いてもよい。加えて、シース３２，３４またはこれらの代替品が多様な別の目的をはたすことができることが認められるであろう。
【００１７】
図１０〜図２０はハンドル１７の例示的な部品を示している。図示のように、右側の作動スライダー２６はハンドル１７の右側半分の中に配置されていて、左側の作動スライダー２８はハンドル１７の左側半分の中に配置されている。このようなスライダー２６，２８は本実施例において用いられているが、多様な代替の構造または装置がこれらのスライダー２６，２８の代用になるかこれらを補うために使用可能であることが認識されるであろう。本実施例において、右作動スライダー２６は複数の右ラック歯６２を有する右ラック６０に一体である。一方、左作動スライダー２８は複数の左ラック歯８２を有する左ラック８０に一体である。ハンドル１７はさらに、右ピニオン６４および左ピニオン８４を有している。右ピニオン６４は、複数の右ピニオン歯６６と、第１ピン６８と、第２ピン７０と、を有している。第１および第２のピン６８，７０は右ピニオン６４の面から垂直にハンドル１７の左側に向かって（すなわち、右ピニオン６４の軸に対して平行に）延出している。右ピニオン歯６６は、右ラック６０の縦方向の動作がこの右ピニオン６４の回転を引き起こすように、右ラック歯６２に歯合するように構成されている。左ピニオン８４は、複数の左ピニオン歯８６と、第３ピン８８と、第４ピン９０と、を有している。第３および第４のピン８８，９０は左ピニオン８４の面から垂直にハンドル１７の右側に向かって（すなわち、左ピニオン８４の軸に対して平行に）延出している。左ピニオン８６は、左ラック８０の縦方向の動作が左ピニオン８４の回転を引き起こすように、左ラック歯８２に歯合するように構成されている。なお、上記のラック６０，８０、ピニオン６４，８４、および／またはピン６８，７０，８８，９０に対する任意の適当な代替品または補充品が使用可能であることが認められるであろう。
【００１８】
本実施例のハンドル１７はさらに、第１アクチュエータ７２と、第２アクチュエータ７６と、第３アクチュエータ９２と、第４アクチュエータ９６と、を有している。第１アクチュエータ７２は上方に配向されている第１スロット７４を有しているが、第２アクチュエータ７６は下方に配向されている第２スロット７８を有している。同様に、第３アクチュエータ９２は上方に配向されている第３スロット９４を有しているが、第４アクチュエータ９６は下方に配向されている第４スロット９８を有している。第１スロット７４は第１ピン６８を受容するように構成されており、第２スロット７８は第２ピン７０を受容するように構成されており、第３スロット９４は第３ピン８８を受容するように構成されており、第４スロット９８は第４ピン９０を受容するように構成されている。もちろん、各スロット７４，７８，９４，９８は、任意の代替の構造により置き換えることができ、アクチュエータ７２，７６，９２，９６も同様である。
【００１９】
本実施例において、第１アクチュエータ７２は近位側シース３２に固定されている。それゆえ、第１アクチュエータ７２の縦方向の移動は近位側シース３２の縦方向の移動を引き起こす。図示のように、第１スロット７４および第１ピン６８は、第１アクチュエータ７２の縦方向の移動が右ピニオン６４の回転により引き起こされるように、互いに係合するように構成されている。この場合も同様に、右ピニオン６４の回転は、右作動スライダー２６の作動等により、右ラック６０の縦方向の移動により引き起こすことができる。したがって、図１３において示されているように、右作動スライダー２６の近位側への動作は近位側シース３２の対応する近位側への動作を生じることができる。
【００２０】
第２アクチュエータ７６は外側管４３に固定されており、この外側管４３はリング配備機構２４の近位側リング４０にも固定されている。したがって、第２アクチュエータ７６の縦方向の移動は外側管４３および近位側リング４０の縦方向の移動を引き起こす。図示のように、第２スロット７８および第２ピン７０は、第２アクチュエータ７６の縦方向の移動が右ピニオン６４の回転により引き起こされるように、互いに係合するように構成されている。この場合も同様に、右ピニオン６４の回転は、右作動スライダー２６の作動等により、右ラック６０の縦方向の移動により引き起こすことができる。したがって、図１４において示されているように、右作動スライダー２６の近位側への動作は近位側リング４０の対応する遠位側への動作を生じることができる。上述のように、本実施例の近位側リング４０の遠位側への動作は近位側フィンガー３６の作動を生じる。
【００２１】
接地管４５の近位側端部は固定部材１００に固定されている。固定部材１００は、ハンドル１７に対する当該固定部材１００の縦方向の移動が阻止されるように、複数のボス１０２によりハンドル１７の中に保持されている。したがって、ボス１０２、固定部材１００、および接地管４５はハンドル１７に対する中間リング４６の縦方向の移動を阻止する。
【００２２】
上記に鑑みて、当業界における通常の熟練者は、近位側シース３２の近位側への移動および近位側リング４０の遠位側への移動が、右作動スライダー２６の１回の動作において、達成可能であることが認められるであろう。換言すれば、図５、図６、図８、図１３、図１４および図１７において示されているように、リング配備機構２４の近位側フィンガー３６は、右作動スライダー２６の１回の（例えば、連続的な）近位側への動作により、被覆を除いて（すなわち、近位側シース３２によりさらして）作動させることができる。もちろん、供給装置１０は、右作動スライダー２６の遠位側への動作により同一の結果が得られるように、構成されていてもよい。また、さらに別の変形例も当業界における通常の熟練者において明らかになるであろう。
【００２３】
近位側シース３２が後退し始める時と近位側フィンガー３６が作動し始める時との間に、いくらかの遅延を有することが望ましい場合があり得る。換言すれば、近位側シース３２の後退の開始および近位側フィンガー３６の作動が連続的であることが望ましい場合があり得る。このような始動の遅延は、近位側シース３２が、近位側フィンガー３６の作動に対して、障害にならないこと、あるいは、影響しないこと、を確実にするために、設けることができる。また、このような遅延は、特に、右ピニオン６４、第１および第２のピン６８，７０、および／または第１および第２のアクチュエータ７２，７６の構成により備えてもよい。例示的な遅延が、図５および図６により連続的に示されており、さらに図１３および図１４により連続的に示されている。あるいは、このような連続的な始動の別の実施形態において、右ピニオン６４と、第１および第２のピン６８，７０と、さらに／または、第１および第２のアクチュエータ７２，７６は、近位側シース３２が完全に後退するまで、近位側フィンガー３６の作動を始めないように、構成できる。また、上記の連続的な始動のさらに別の代替的な実施形態において、近位側フィンガー３６の作動は、近位側シース３２の後退が開始される前に、開始される。なお、上記の実施形態のいずれにおいても、右作動スライダー２６の１回の連続的な（すなわち、中断されない）動作により、上記の遅延を引き起こせることが認められるであろう。また、遅延を達成するか具体化できるさらに別の方法も当業界における通常の熟練者において明らかになるであろう。あるいは、遅延が必要でないか望ましくない別の形態も存在することが認められるであろう。
【００２４】
近位側シース３２の後退の開始と近位側フィンガー３６の作動との間の遅延（例えば、連続的な後退と作動とにより経験される遅延）が存在するか否かにかかわらず、当業界における通常の熟練者は近位側シース３２の後退および近位側フィンガー３６の作動が、少なくとも部分的に、同時に、行なえることを認めるであろう。換言すれば、後退している近位側シース３２の動作の少なくとも一部分は作動している近位側フィンガー３６の動作の少なくとも一部分と同時に行なわれてもよい。したがって、本明細書においては、用語の「同時に」は、上記の２種類の動作が同時に始まり、さらに／または、終わることを必要とすると読むべきではなく、上記の２種類の動作が同時に始まり、さらに／または、終わる構成を含むと考えるべきである。つまり、この「同時に」は、近位側シース３２を後退させる動作および近位側フィンガー３６を作動させる動作の間に少なくともいくらかの一時的な重なりがある任意の構成を含むと考えるべきである。さらに、「部分的に同時に」は近位側シース３２を後退させる動作および近位側フィンガー３６を作動させる動作が一時的な重なりを有しているが、異なる時間において始まり、さらに／または、終わる場合の任意の構成を含むと考えるべきである。また、本明細書においては、用語の「連続的な」およびその変形は、近位側シース３２を後退させる動作および近位側フィンガー３６を作動させる動作が異なる時間に始まり、さらに／または、終わる場合の構成を含むと読むべきである。もちろん、供給装置１０は、上記の動作が、同一の供給装置１０により、同時にかつ連続的に行なえるように、構成できる（例えば、これらの動作は異なる時間に開始するが、それぞれの実行において一時的な重なりが存在する）。なお、上記の結果のいずれもが右作動スライダー２６の１回の連続的な動作により得られる。このような機能は本実施例の供給装置１０により与えることができるが、実際の使用においては、右作動スライダー２６の動作は必ずしも１回の連続的な動作である必要がないことが認められるであろう。
【００２５】
本実施例において、第４アクチュエータ９６は先端管４７に固定されており、この先端管４７も先端部分３０に固定されている。この場合も同様に、遠位側シース３４は先端部分３０に一体に形成されている。これにより、第４アクチュエータ９６の縦方向の移動は、先端管４７と、先端部分３０と、遠位側シース３４の縦方向の移動を引き起こすことになる。図示のように、第４スロット９８および第４ピン９０は、第４アクチュエータ９６の縦方向の移動が左ピニオン８４の回転により引き起こせるように、互いに係合するように構成されている。この場合も同様に、左ピニオン８４の回転は、左作動スライダー２８の作動等により、左ラック８０の縦方向の移動により引き起こすことができる。したがって、図１５において示されているように、左作動スライダー２８の近位側への動作は遠位側シース３４の対応する遠位側への動作を生じる可能性がある。
【００２６】
第３アクチュエータ９２は内側管４４に固定されており、この内側管４４もリング配備機構２４の遠位側リング４２に固定されている。それゆえ、第３アクチュエータ９２の縦方向の移動は内側管４４および遠位側リング４２の縦方向の移動を引き起こす。図示のように、第３スロット９４および第３ピン８８は、第３アクチュエータ９２の縦方向の移動が左ピニオン８４の回転により引き起こせるように、互いに係合するように構成されている。この場合も同様に、左ピニオン８４の回転は、左作動スライダー２８の作動等により、左ラック８０の縦方向の移動により引き起こせる。したがって、図１６において示されているように、左作動スライダー２８の近位側への作動は遠位側リング４２の対応する近位側への動作を生じることができる。上述のように、本実施例の遠位側リング４２の近位側への動作は遠位側フィンガー３８を作動させる。
【００２７】
ハンドル１７の右半分の中において見られるのと同様の様式で、当業界における通常の熟練者は、遠位側シース３４の遠位側への移動および遠位側リング４２の近位側への移動が左作動スライダー２８の１回の動作で達成できること、を認めるであろう。換言すれば、図５、図７、図８、図１５、図１６および図１８において示されているように、リング配備機構２４の遠位側フィンガー３８は、左作動スライダー２８の１回の（例えば、連続的な）近位側への動作により、被覆を除いて（すなわち、遠位側シース３４によりさらして）作動させることができる。もちろん、供給装置１０は、左作動スライダー２８の遠位側への動作により同一の結果が得られるように、構成されていてもよい。また、さらに別の変形例も当業界における通常の熟練者において明らかになるであろう。
【００２８】
加えて、近位側シース３２および近位側フィンガー３６と同様に、遠位側シース３４が遠位側に延出し始める時と遠位側フィンガー３８が作動し始める時との間に、いくらかの遅延を有することが望ましい場合があり得る。換言すれば、遠位側シース３４の延出の開始および遠位側フィンガー３８の作動が連続的であることが望ましい場合があり得る。このような始動の遅延は、遠位側シース３４が、遠位側フィンガー３８の作動に対して、障害にならないこと、あるいは、影響しないこと、を確実にするために、設けることができる。また、このような遅延は、特に、左ピニオン８４、第３および第４のピン８８，９０、および／または第３および第４のアクチュエータ９２，９６の構成により備えてもよい。例示的な遅延が、図５および図７により連続的に示されており、さらに図１５および図１６により連続的に示されている。あるいは、このような連続的な始動の別の実施形態において、左ピニオン８４と、第３および第４のピン８８，９０と、さらに／または、第３および第４のアクチュエータ９２，９６は、遠位側シース３４が完全に延出するまで、遠位側フィンガー３８の作動を初めないように、構成できる。また、上記の連続的な始動のさらに別の代替的な実施形態において、遠位側フィンガー３８の作動は、遠位側シース３４の延出が開始される前に、開始される。なお、上記の実施形態のいずれにおいても、左作動スライダー２８の１回の連続的な（すなわち、中断されない）動作により、上記の遅延を引き起こせることが認められるであろう。また、遅延を達成するか具体化できるさらに別の方法も当業界における通常の熟練者において明らかになるであろう。あるいは、遅延が必要でないか望ましくない別の形態も存在することが認められるであろう。
【００２９】
遠位側シース３４の延出の開始と遠位側フィンガー３８の作動との間の遅延（例えば、連続的な延出と作動により経験される遅延）の有無にかかわらず、当業界における通常の熟練者は遠位側シース３４の延出および遠位側フィンガー３８の作動は、少なくとも部分的に、同時に、引き起こすことが可能であることを認めるであろう。換言すれば、延出している遠位側シース３４の動作の少なくとも一部分は作動している遠位側フィンガー３８の動作の少なくとも一部分と同時に行なうことができる。したがって、本明細書においては、用語の「同時に」は、上記の２種類の動作が同時に始まり、さらに／または、終わることを必要とすると読むべきではなく、上記の２種類の動作が同時に始まり、さらに／または、終わる構成を含むと考えるべきである。つまり、この「同時に」は、遠位側シース３４を延出させる動作および遠位側フィンガー３８を作動させる動作の間に少なくともいくらかの一時的な重なりがある任意の構成を含むと考えるべきである。さらに、「部分的に同時に」は遠位側シース３４を延出させる動作および遠位側フィンガー３８を作動させる動作が一時的な重なりを有しているが、異なる時間において始まり、さらに／または、終わる場合の任意の構成を含むと考えるべきである。また、本明細書においては、用語の「連続的な」およびその変形は、遠位側シース３４を延出させる動作および遠位側フィンガー３８を作動させる動作が異なる時間に始まり、さらに／または、終わる場合の構成を含むと読むべきである。もちろん、供給装置１０は、上記の動作が、同一の供給装置１０により、同時にかつ連続的に行なえるように、構成できる（例えば、これらの動作は異なる時間に開始するが、それぞれの実行において一時的な重なりが存在する）。なお、上記の結果のいずれもが左作動スライダー２８の１回の連続的な動作により得られる。このような機能は本実施例の供給装置１０により与えることができるが、実際の使用においては、右作動スライダー２８の動作は、事実上は、必ずしも１回の連続的な動作である必要がないことが認められるであろう。
【００３０】
本実施例のハンドル１７は横並びの配置における左右の作動スライダー２８，２６を含むが、これら左右の作動スライダー２８，２６はこのような配置にすることは必ずしも必要ではないことが認められるであろう。例示のみとして、ハンドル１７は、左右の作動スライダー２８，２６が縦方向に整合するように、構成されていてもよい。また、別の実施形態において、近位側シース３２の後退、遠位側シース３４の進出、および／または配備機構２４の作動、は左右の作動スライダー２８，２６の遠位側への移動により達成される。なお、左右の作動スライダー２８，２６の代用になるかこれらを補うために、多様な別の特徴、構成、または機構が使用可能であることも認められるであろう。
【００３１】
動作の一例において、吻合リング１４は、近位側および遠位側のフィンガー３６，３８により、リング配備機構２４に保持される。供給装置１０は吻合部位の近くに挿入され、この場合に、開口部が２個の最も近い胃腸の壁部２００，３００に形成される。挿入のための供給装置１０の適当な構成が図１および図１２において示されている。この供給装置１０が挿入される時に、近位側および遠位側のシース３２，３４は、組織がリング配備機構２４の中に捕捉されることを防ぐように、動作する。もちろん、任意の他の適当な構造もこの目的をはたすために使用できる。さらに、含まれている場合に、シース３２，３４は多様な別の目的をはたすことが可能であることも認められるであろう。
【００３２】
リング配備機構２４が吻合開口部の中に挿入されると、左右の作動スライダー２８，２６は近位側に動けるようになり、これにより、近位側シース３２が近位側に後退して遠位側シース３４が遠位側に進出することによりリング配備機構２４が現れる。使用のこの段階が図５において示されている。もちろん、それぞれのシース３２，３４は、それぞれ、同時にではなく、個々に、任意の適当な順序で、後退および進出させてもよい。このようなシース３２，３４の個々の後退および進出が、それぞれ、図１３および図１５において示されている。
【００３３】
リング配備機構２４が少なくとも部分的に現れると共に、右作動スライダー２６の継続された近位側への移動は近位側フィンガー３６を作動させ始める。図６および図１４は、部分的に作動状態の形態にある近位側フィンガー３６、を示している。同様に、左作動スライダー２８の継続された近位側への移動は遠位側フィンガー３８を作動させ始める。図７および図１６は、部分的に作動状態の形態にある遠位側フィンガー３８、を示している。この時間の間に、または動作中の任意の他の時間に、外科医は、例のみとして、内視鏡による等のように、供給装置１０の適切な配向および／または位置決めを確実にするために、チェックできる。供給装置１０の適切な配向および／または位置決めを想定しながら、左右の作動スライダー２８，２６は、近位側および遠位側のフィンガー３６，３８を、それぞれ、完全に作動状態の位置に、配置し続けることができる。このことにより、吻合リング１４を、その圧縮状態の、円筒形状の位置から、その作動状態の、中空のリベット形状の位置に、拡張させて、（あるいは、吻合リング１４が拡張できるようになり）、胃腸の組織壁２００，３００の間に吻合の取り付け部分を形成できる。これにより、吻合リング１４は配備可能になる。完全に作動状態のフィンガー３６，３８が図８、図１７および図１８において示されている。
【００３４】
吻合リング１４の配備時に、上記の各工程は、供給装置１０が図１および図１２において示されている形態と同様の形態に再びなるように、リング配備機構２４を非作動にして、遠位側シース３４を近位側に移動させ、近位側シース３２を遠位側に移動させるために、逆にすることができる。供給装置１０がそのような形態に到達すると、この供給装置１０は患者から引き抜くことができるようになる。この引き抜きの間に、挿入の間と同様に、シース３２，３４は、組織がリング配備機構２４の中に捕捉されること、を防ぐことができる。もちろん、任意の他の適当な構造を、上記の目的をはたすために使用してもよい。
【００３５】
なお、供給装置１０を動作させる別の応用および方法も当業界の通常の熟練者において明らかになるであろう。
【００３６】
上記において、本発明の種々の実施形態および概念が図示されて説明されているが、本明細書において記載されている方法およびシステムのさらに別の適応が、本発明の範囲から逸脱することなく、当業界における通常の熟練者により、適当な変更により達成できる。また、幾つかの可能性のある代替例、変更例、および変形例が記述されているが、他のものも上記の教示に鑑みて当業界の熟練者において明らかになるであろう。したがって、本発明は、上記のような全ての代替例、変更例、および変形例を、添付の特許請求の範囲の各請求項の趣旨および範囲に該当し得るものとして、含むことが意図されており、本明細書および各図面において示されていて説明されている構造および動作の詳細に限定されないことが理解されるべきである。なお、付加的な利点は当業界の熟練者において容易に明らかになると考えられる。
【００３７】
〔実施の態様〕
（１）吻合リング装置を移植するための外科器具において、
（ａ）吻合リングを受容するように構成されているリング配備機構であって、非作動状態の位置と作動状態の位置との間において移動させるために動作可能である、リング配備機構と、
（ｂ）前記リング配備機構に連絡している軸であって、
（ｉ）前記リング配備機構に作動力を伝達するように動作可能に構成されている１個以上の伝達部材と、
（ｉｉ）第１の形態から第２の形態に選択的に移動させるために動作可能なシース装置であって、このシース装置がその第１の形態にある時に前記リング配備機構の少なくとも一部分を被覆するように構成されていて、このシース装置がその第２の形態に移動する時に前記リング配備機構の前記少なくとも一部分をさらすように構成されている、シース装置と、
を含んでいる、軸と、
（ｃ）前記リング配備機構の少なくとも一部分を作動させる動作の少なくとも一部分と、前記シース装置の少なくとも一部分をその第２の形態に移動させる動作の少なくとも一部分と、を同時に、行なうために動作可能な作動機構と、
を備えている、外科器具。
（２）実施態様１に記載の外科器具において、
前記作動機構の少なくとも一部分は、前記軸に連結されているハンドルの中に、配置されている、外科器具。
（３）実施態様１に記載の外科器具において、
前記１個以上の伝達部材は複数の管を含む、外科器具。
（４）実施態様１に記載の外科器具において、
前記作動機構はさらに、前記シース装置の少なくとも一部分をその第２の形態に移動させる動作を開始することと、前記リング配備機構の少なくとも一部分を作動させる動作を開始すること、を連続的に行なうために、動作可能である、外科器具。
（５）実施態様１に記載の外科器具において、
前記リング配備機構は複数のフィンガーを含む、外科器具。
【００３８】
（６）実施態様１に記載の外科器具において、
前記リング配備機構は、前記非作動状態の位置から前記作動状態の位置に移動可能な近位側部分と、前記非作動状態の位置から前記作動状態の位置に移動可能な遠位側部分と、を有している、外科器具。
（７）実施態様６に記載の外科器具において、
前記シース装置は近位側シースおよび遠位側シースを含み、この近位側シースは、前記シース装置がその第１の形態にある時に、第３の形態にあり、さらにこの近位側シースは、前記シース装置がその第２の形態にある時に、第４の形態にあり、前記遠位側シースは前記シース装置がその第１の形態にある時に、第５の形態にあり、さらにこの遠位側シースは、前記シース装置がその第２の形態にある時に、第６の形態にある、外科器具。
（８）実施態様７に記載の外科器具において、
前記近位側シースは、当該近位側シースがその第３の形態にある時に、前記リング配備機構の前記近位側部分を被覆するように構成されており、前記遠位側シースは、当該遠位側シースがその第５の形態にある時に、前記リング配備機構の前記遠位側部分を被覆するように構成されている、外科器具。
（９）実施態様８に記載の外科器具において、
前記作動機構はさらに、前記リング配備機構の前記近位側部分に動作を伝達するために動作可能な第１の作動スライダーと、前記リング配備機構の前記遠位側部分に動作を伝達するために動作可能な第２の作動スライダーと、を含む、外科器具。
（１０）実施態様９に記載の外科器具において、
前記第１の作動スライダーはさらに、前記近位側シースをその第３の形態から第４の形態に移動させるために動作可能である、外科器具。
【００３９】
（１１）実施態様１０に記載の外科器具において、
前記第１の作動スライダーは、前記リング配備機構の前記近位側部分をその作動状態の位置に向けて移動させることと、前記近位側シースをその第４の形態に向けて移動させること、を同時に行なうために動作可能である、外科器具。
（１２）実施態様１１に記載の外科器具において、
前記第２の作動スライダーはさらに、前記遠位側シースをその第５の形態から第６の形態に移動させるために動作可能である、外科器具。
（１３）実施態様１２に記載の外科器具において、
前記第２の作動スライダーは、前記リング配備機構の前記遠位側部分をその作動状態の位置に向けて移動させることと、前記遠位側シースをその第６の形態に向けて移動させること、を同時に行なうために動作可能である、外科器具。
（１４）実施態様１に記載の外科器具において、
前記シース装置は、その第１の形態から第２の形態まで、一方または両方の縦方向に移動させるように構成されている、外科器具。
（１５）実施態様１に記載の外科器具において、
前記作動機構は、第１アクチュエータと、第２アクチュエータと、第１アクチュエータに第１の作動力を伝達して第２アクチュエータに第２の作動力を伝達するために動作可能である第１の部材と、を含み、前記第１の作動力は、前記第２の作動力に対して、方向において、縦に反対である、外科器具。
【００４０】
（１６）実施態様１５に記載の外科器具において、
前記第１の部材は、一つの面と、一つの軸線と、この軸線に平行な方向にその面から延出している一対のピンと、を有しているピニオンを備えており、前記第１および第２のアクチュエータはそれぞれ一つのスロットを有しており、前記ピンは、前記第１および第２の作動力を実質的に同時に伝達させるために、前記スロットに係合するように構成されている、外科器具。
（１７）実施態様１６に記載の外科器具において、
前記第１のアクチュエータは前記シース装置の少なくとも一部分に連絡しており、前記第２のアクチュエータは前記リング配備機構の少なくとも一部分に連絡している、外科器具。
（１８）実施態様１７に記載の外科器具において、
さらに、ラックに連絡している作動スライダーを備えており、このラックは前記ピニオンに連絡している、外科器具。
（１９）吻合リング装置を配備するための外科器具において、
（ａ）吻合リングを配備するように構成されているリング配備機構であって、非作動状態の位置と作動状態の位置との間において移動させるために動作可能であり、近位側部分と遠位側部分とを有している、リング配備機構と、
（ｂ）前記リング配備機構に連絡している軸であって、
（ｉ）前記リング配備機構に作動力を伝達するように動作可能に構成されている１個以上の伝達部材と、
（ｉｉ）近位側シースであって、当該近位側シースが第１の形態にある時に、前記リング配備機構の前記近位側部分を被覆するように構成されていて、この近位側シースがその第１の形態から近位側に移動する時に、前記リング配備機構の前記近位側部分の少なくとも一部分をさらすように構成されている、近位側シースと、
（ｉｉｉ）遠位側シースであって、当該遠位側シースが第２の形態にある時に、前記リング配備機構の前記遠位側部分を被覆するように構成されていて、この遠位側シースがその第２の形態から遠位側に移動する時に、前記リング配備機構の前記遠位側部分の少なくとも一部分をさらすように構成されている、遠位側シースと、
を含んでいる、軸と、
（ｃ）作動機構であって、
（ｉ）前記リング配備機構の前記近位側部分を作動させることと、前記近位側シースを近位側に移動させることを、少なくとも部分的に、同時に、行なうために動作可能な第１の部材と、
（ｉｉ）前記リング配備機構の前記遠位側部分を作動させることと、前記遠位側シースを遠位側に移動させることを、少なくとも部分的に、同時に、行なうために動作可能な第２の部材と、
を含んでいる、作動機構と、
を備えている、外科器具。
（２０）吻合リング装置を配備するための外科器具において、
（ａ）吻合リング装置を配備するように構成されているリング配備機構であって、
（ｉ）一組の近位側フィンガーと、
（ｉｉ）一組の遠位側フィンガーと、を含んでいて、
前記近位側フィンガーは第１の遠位側への力に応答して作動するように構成されていて、前記遠位側フィンガーは第１の近位側への力に応答して作動するように構成されている、リング配備機構と、
（ｂ）前記近位側フィンガーを被覆するように構成されている近位側シースであって、第２の近位側への力に応答して前記近位側フィンガーをさらすために動作可能である、近位側シースと、
（ｃ）前記遠位側フィンガーを被覆するように構成されている遠位側シースであって、第２の遠位側への力に応答して前記遠位側フィンガーをさらすために動作可能である、遠位側シースと、
（ｄ）作動機構であって、
（ｉ）前記第１の遠位側への力および前記第２の近位側への力を、少なくとも部分的に、同時に、伝達させるために動作可能な第１の部材と、
（ｉｉ）前記第１の近位側への力および前記第２の遠位側への力を、少なくとも部分的に、同時に、伝達させるために動作可能な第２の部材と、
を含んでいる、作動機構と、
を備えている、外科器具。
【図面の簡単な説明】
【００４１】
【図１】吻合リング供給装置の斜視図である。
【図２】非作動状態の位置において吻合リングを保持している吻合リング供給装置の遠位側部分の部分的な斜視図である。
【図３】作動状態の位置において吻合リングを保持している、シースを伴わずに示されている図２の装置の遠位側の部分の部分的な斜視図である。
【図４】作動状態の吻合リングの前面図である。
【図５】図１の吻合リング供給装置の斜視図であり、遠位側シースの部分が延出していて、近位側シース部分が部分的に後退している。
【図６】図１の装置の斜視図であり、近位側シースの部分が部分的に後退していて、リング配備機構の近位側部分が部分的に作動している。
【図７】図１の装置の斜視図であり、リング配備機構の遠位側および近位側の各部分が部分的に作動している。
【図８】図１の装置の斜視図であり、リング配備機構の遠位側および近位側の各部分が完全に作動している。
【図９】図１の装置のリング配備機構の分解斜視図である。
【図１０】左側ハウジングが半分だけ省かれている、図１の装置の近位側部分の、斜視の、断面の分解図である。
【図１１】図１の装置の作動機構の分解斜視図である。
【図１２】図１の装置の、遠位側部分、右ハンドル部分、および左ハンドル部分、の部分断面図である。
【図１３】図１の装置の、遠位側部分および右ハンドル部分、の部分断面図であり、シースの近位側部分が部分的に後退している状態で示されている状態で示されている。
【図１４】図１の装置の、遠位側部分および右ハンドル部分、の部分断面図であり、シースの近位側部分が部分的に後退していて、リング配備機構の近位側部分が部分的に作動している状態で示されている。
【図１５】図１の装置の、遠位側部分および左ハンドル部分、の部分断面図であり、シースの遠位側部分が部分的に延出している状態で示されている。
【図１６】図１の装置の、遠位側部分および左ハンドル部分、の部分断面図であり、シースの遠位側部分が部分的に延出していて、リング配備機構の遠位側部分が部分的に作動している状態で示されている。
【図１７】図１の装置の、遠位側部分および右ハンドル部分、の部分断面図であり、リング配備機構の遠位側および近位側の各部分が完全に作動している状態で示されている。
【図１８】図１の装置の、遠位側部分および左ハンドル部分、の部分断面図であり、リング配備機構の遠位側および近位側の各部分が完全に作動している状態で示されている。
【図１９】図１４の面１９に沿う断面図である。
【図２０】図１５の面２０に沿う断面図である。
【図１】
2006312053.tif 000003
【図２】
2006312053.tif 000004
【図３】
2006312053.tif 000005
【図４】
2006312053.tif 000006
【図５】
2006312053.tif 000007
【図６】
2006312053.tif 000008
【図７】
2006312053.tif 000009
【図８】
2006312053.tif 000010
【図９】
2006312053.tif 000011
【図１０】
2006312053.tif 000012
【図１１】
2006312053.tif 000013
【図１２】
2006312053.tif 000014
【図１３】
2006312053.tif 000015
【図１４】
2006312053.tif 000016
【図１５】
2006312053.tif 000017
【図１６】
2006312053.tif 000018
【図１７】
2006312053.tif 000019
【図１８】
2006312053.tif 000020
【図１９】
2006312053.tif 000021
【図２０】
2006312053.tif 000022
【外国語明細書】
2006312053000001.pdf